(57)【特許請求の範囲】
【請求項１】
収納領域の外部に設置され、かつ駆動する場合に前記収納領域の内部空気を該収納領域の内部と外部との間で循環させる複数の循環ファンと、
前記収納領域の外部に設けられ、かつ前記複数の循環ファンの駆動により循環させられる前記内部空気を冷却する冷却手段と
を備え、前記収納領域に収納された商品を冷却する冷却装置であって、
異常が発生した場合に、異常が発生してからの経過時間が予め決められた待機時間に達したとき、あるいは前記収納領域の内部温度が予め決められた解除温度以上となるときに、全ての循環ファンを一旦駆動停止にさせてから駆動させる再起動運転を行う制御手段を備え、
前記制御手段は、前記再起動運転を行う場合に、前記複数の循環ファンと共通の電源を有する負荷の少なくとも一部を駆動停止にさせることを特徴とする冷却装置。
【請求項２】
前記制御手段は、前記収納領域の内部空気の冷却を行う冷却運転時に少なくとも１つの循環ファンが駆動停止した場合に前記異常が発生したものとして、駆動停止した時点からの経過時間が予め決められた待機時間に達したとき、あるいは前記収納領域の内部温度が予め決められた解除温度以上となるときに、前記再起動運転を行うことを特徴とする請求項１に記載の冷却装置。
【請求項３】
前記制御手段は、前記経過時間が前記待機時間に達するまで、あるいは前記収納領域の内部温度が前記解除温度以上となるまでは、駆動停止した循環ファン以外の循環ファンの駆動を継続させることを特徴とする請求項２に記載の冷却装置。
【請求項４】
前記複数の循環ファンは、前記冷却手段の近傍において並ぶよう設置されていることを特徴とする請求項１〜３のいずれか１つに記載の冷却装置。
【請求項５】
前記冷却手段は、自身の冷媒通路を通過する冷媒が蒸発することにより自身の周囲を通過する内部空気を冷却することを特徴とする請求項１〜４のいずれか１つに記載の冷却装置。
【発明の詳細な説明】
【技術分野】
【０００１】
本発明は、冷却装置に関し、より詳細には、例えばアイスクリーム等の商品を取出可能な状態で収納するオープン平型のアイスケースや、収納室に上下方向に沿って複数段設けられた商品陳列棚に商品を載置させて陳列するショーケース等に適用される冷却装置に関するものである。
【背景技術】
【０００２】
従来、例えばアイスケースやショーケース等に適用される冷却装置は、複数の循環ファンと冷却ユニットとを備えて構成されている。
【０００３】
複数の循環ファンは、ケース本体における商品を収納する収納室の外部に設置されている。これら複数の循環ファンは、駆動することにより、収納室の内部空気を該収納室の内部と外部との間で循環させるものである。
【０００４】
冷却ユニットは、冷却器、圧縮機、放熱器及び膨張機構が冷媒管路に接続されて構成されている。冷却器は、複数の循環ファンと同様に、収納室の外部に設けられている。圧縮機は、駆動する場合に、冷却器を通過した冷媒を吸引して圧縮するものである。放熱器は、圧縮機で圧縮された冷媒を凝縮させて周囲の空気に放熱させるものである。膨張機構は、放熱器で放熱した凝縮した冷媒を断熱膨張させて冷却器に送出するものである。
【０００５】
このような冷却装置では、冷却ユニットの圧縮機が駆動することにより、冷却器には膨張機構で断熱膨張した冷媒が供給される。これにより、冷却器が供給された冷媒と循環ファンの駆動により該冷却器の周囲を通過する内部空気との間で熱交換させ、該冷媒が蒸発することにより該内部空気を冷却する。この結果、収納室の内部空気は冷却され、該収納室に収納される商品が冷却される。
【０００６】
ところで、上記冷却装置では、収納室の内部空気を冷却する運転中に霜等が付着してしまうことによりいずれかの循環ファンが駆動停止した場合、その他の循環ファンの駆動を維持した状態で駆動停止した循環ファンを再度起動させるようにしている（例えば、特許文献１参照）。
【先行技術文献】
【特許文献】
【０００７】
【特許文献１】特開２００１−２８０７８２号公報
【発明の概要】
【発明が解決しようとする課題】
【０００８】
ところで、上述した冷却装置では、いずれかの循環ファンが駆動停止するような異常が発生した場合、その他の循環ファンの駆動を維持した状態で駆動停止した循環ファンを再度起動させるようにしているので、再度起動させた循環ファンが駆動を維持している他の循環ファンの風量に影響を受けてしまい、結果的に駆動しない虞れがあった。
【０００９】
本発明は、上記実情に鑑みて、異常が発生した場合にも、全ての循環ファンを良好に再度駆動させることができる冷却装置を提供することを目的とする。
【課題を解決するための手段】
【００１０】
上記目的を達成するために、本発明に係る冷却装置は、収納領域の外部に設置され、かつ駆動する場合に前記収納領域の内部空気を該収納領域の内部と外部との間で循環させる複数の循環ファンと、前記収納領域の外部に設けられ、かつ前記複数の循環ファンの駆動により循環させられる前記内部空気を冷却する冷却手段とを備え、前記収納領域に収納された商品を冷却する冷却装置であって、異常が発生した場合に、異常が発生してからの経過時間が予め決められた待機時間に達したとき、あるいは前記収納領域の内部温度が予め決められた解除温度以上となるときに、全ての循環ファンを一旦駆動停止にさせてから駆動させる再起動運転を行う制御手段を備えたことを特徴とする。
【００１１】
また本発明は、上記冷却装置において、前記制御手段は、前記収納領域の内部空気の冷却を行う冷却運転時に少なくとも１つの循環ファンが駆動停止した場合に前記異常が発生したものとして、駆動停止した時点からの経過時間が予め決められた待機時間に達したとき、あるいは前記収納領域の内部温度が予め決められた解除温度以上となるときに、前記再起動運転を行うことを特徴とする。
【００１２】
また本発明は、上記冷却装置において、前記制御手段は、前記経過時間が前記待機時間に達するまで、あるいは前記収納領域の内部温度が前記解除温度以上となるまでは、駆動停止した循環ファン以外の循環ファンの駆動を継続させることを特徴とする。
【００１３】
また本発明は、上記冷却装置において、前記複数の循環ファンは、前記冷却手段の近傍において並ぶよう設置されていることを特徴とする。
【００１４】
また本発明は、上記冷却装置において、前記制御手段は、前記再起動運転を行う場合に、前記複数の循環ファンと共通の電源を有する負荷の少なくとも一部を駆動停止にさせることを特徴とする。
【００１５】
また本発明は、上記冷却装置において、前記冷却手段は、自身の冷媒通路を通過する冷媒が蒸発することにより自身の周囲を通過する内部空気を冷却することを特徴とする。
【発明の効果】
【００１６】
本発明によれば、制御手段が、異常が発生した場合に、異常が発生してからの経過時間が予め決められた待機時間に達したとき、あるいは収納領域の内部温度が予め決められた解除温度以上となるときに、全ての循環ファンを一旦駆動停止にさせてから駆動させる再起動運転を行うので、例えば一旦駆動停止した循環ファンを駆動中の他の循環ファンの影響を受けずに再度駆動させることができ、例えば循環ファンが駆動停止するような異常が発生した場合にも、全ての循環ファンを良好に再度駆動させることができるという効果を奏する。
【図面の簡単な説明】
【００１７】
【図１】図１は、本発明の実施の形態１である冷却装置を模式的に示す模式図である。
【図２】図２は、本発明の実施の形態１である冷却装置の特徴的な制御系を示すブロック図である。
【図３】図３は、図２に示した制御部が実施する冷却運転処理の処理内容を示すフローチャートである。
【図４】図４は、図２に示した制御部が実施する再起動運転処理の処理内容を示すフローチャートである。
【図５】図５は、本発明の実施の形態２である冷却装置の特徴的な制御系を示すブロック図である。
【図６】図６は、図５に示した制御部が実施する冷却運転処理の処理内容を示すフローチャートである。
【発明を実施するための形態】
【００１８】
以下に添付図面を参照して、本発明に係る冷却装置の好適な実施の形態について詳細に説明する。
【００１９】
＜実施の形態１＞
図１及び図２は、それぞれ本発明の実施の形態１である冷却装置を示すものであり、図１は、冷却装置を模式的に示す模式図であり、図２は、冷却装置の特徴的な制御系を示すブロック図である。ここで例示する冷却装置は、例えばアイスケースやショーケース等に適用されるものであり、ケース本体１０に設けられている。
【００２０】
まず、ケース本体１０について説明する。ケース本体１０は、収納室１１と、空気通路１２と、機械室１３とを有している。
【００２１】
収納室１１は、断熱構造を有する室であり、商品を収納する収納領域である。この収納室１１は、図には明示していないが、ケース本体１０に形成された開口を臨む態様で設けられており、該開口を通じて商品が取り出されることを許容している。尚、ケース本体１０がショーケースを構成する場合には、収納室１１には、上下方向に沿って商品陳列棚が複数段設けられており、これら商品陳列棚に商品が載置されて陳列されることになる。
【００２２】
空気通路１２は、収納室１１と共通の断熱構造を有しており、該収納室１１に対して図示せぬ吸込口及び吹出口を通じて連通した空気の風路である。機械室１３は、収納室１１及び空気通路１２と区画された室である。
【００２３】
次に、冷却装置について説明する。冷却装置は、冷却ユニット２０と、複数の循環ファン３１〜３４と、内部温度センサ４１と、ヒータ４２と、制御部（制御手段）５０とを備えて構成されている。
【００２４】
冷却ユニット２０は、圧縮機２１、放熱器２２、膨張機構２３及び冷却器２４を冷媒管路２５にて順次接続して構成されている。
【００２５】
圧縮機２１は、図１に示すように、機械室１３に設けられている。この圧縮機２１は、制御部５０から与えられる指令に応じて駆動するものであり、駆動する場合に、冷媒を吸引し、吸引した冷媒を圧縮して高温高圧の状態（高温高圧冷媒）にして吐出するものである。
【００２６】
放熱器２２は、圧縮機２１と同様に機械室１３に設けられている。この放熱器２２は、通過する冷媒と周囲を通過する外気とを熱交換させて該冷媒を凝縮させて放熱させるものである。
【００２７】
膨張機構２３は、圧縮機２１及び放熱器２２と同様に機械室１３に設けられている。この膨張機構２３は、例えば電子膨張弁やキャピラリーチューブ等により構成されるもので、放熱器２２を通過した冷媒を減圧して断熱膨張させるものである。
【００２８】
冷却器２４は、図１に示すように、空気通路１２に設けられている。この冷却器２４は、入口が膨張機構２３の出口に接続された冷媒管路２５に接続されており、出口が圧縮機２１の入口に接続された冷媒管路２５に接続されている。このような冷却器２４は、膨張機構２３で断熱膨張した冷媒と、周囲を通過する空気、すなわち空気通路１２を通過する空気とを熱交換させて該冷媒を蒸発させることにより空気を冷却するものである。
【００２９】
複数の循環ファン３１〜３４は、それぞれ空気通路１２に設けられている。より詳細には、複数の循環ファン３１〜３４は、冷却器２４の近傍において一列に並ぶよう設置されている。これら循環ファン３１〜３４は、制御部５０から駆動指令が与えられることにより駆動するものである。つまり、循環ファン３１〜３４は、駆動する場合に、吸込口を通じて収納室１１の内部空気を吸い込み、吸い込んだ内部空気を吹出口まで送出させるよう空気通路１２を通過させ、吹出口を通じて収納室１１の内部に空気を吹き出すもので、収納室１１の内部と外部（空気通路１２）との間で空気を循環させるものである。
【００３０】
内部温度センサ４１は、収納室１１の内部に設けられている。この内部温度センサ４１は、収納室１１の内部温度を検知する検知手段である。かかる内部温度センサ４１は、検知した内部温度を内部温度信号として制御部５０に与えるものである。
【００３１】
ヒータ４２は、空気通路１２における冷却器２４の近傍に設けられている。このヒータ４２は、制御部５０から駆動指令が与えられることにより通電状態となって駆動するものである。かかるヒータ４２は、冷却器２４に付着した霜を除去する除霜作業を行う際に駆動するものである。このようなヒータ４２は、図には明示していないが、上記循環ファン３１〜３４と共通の電源に接続されており、同一の電源系統である。つまり、ヒータ４２は、循環ファン３１〜３４と共通の電源を有する負荷の１つである。尚、循環ファン３１〜３４と共通の電源を有する負荷としては、収納室１１の照明等に用いられるＬＥＤ等の光源等が挙げられる。
【００３２】
制御部５０は、メモリ５５に記憶されたプログラムやデータにしたがって冷却装置の各部の動作を統括的に制御するものであり、入力処理部５１、判定処理部５２、出力処理部５３及び異常監視部５４を備えている。尚、制御部５０は、例えばＣＰＵ（Ｃｅｎｔｒａｌ  Ｐｒｏｃｅｓｓｉｎｇ  Ｕｎｉｔ）等の処理装置にプログラムを実行させること、すなわちソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００３３】
入力処理部５１は、内部温度センサ４１から与えられる内部温度信号や、図示しない上位機器からの指令信号等を入力するものである。
【００３４】
判定処理部５２は、冷却運転判定処理部５２ａ及び再起動運転判定処理部５２ｂを備えている。
【００３５】
冷却運転判定処理部５２ａは、後述する冷却運転処理において、入力処理部５１を通じて入力した内部温度と、メモリ５５から読み出した温度（下限温度及び上限温度）とを比較して判定するものである。
【００３６】
より詳細には、冷却運転判定処理部５２ａは、入力処理部５１を通じて入力した内部温度がメモリ５５から読み出した下限温度を下回るか否か、並びに内部温度がメモリ５５から読み出した上限温度を上回るか否かを判定するものである。ここで、下限温度は、収納室１１の内部空気を冷却する場合において、好ましい冷却温度範囲の下限値であり、上限温度は該冷却温度範囲の上限値である。
【００３７】
再起動運転判定処理部５２ｂは、後述する再起動運転処理において、内蔵される時計を用いて時間を計測し、計測時間がメモリ５５から読み出した時間（待機時間、所定時間）を経過したか否かを判定するものである。
【００３８】
出力処理部５３は、圧縮機駆動処理部５３ａ、ファン駆動処理部５３ｂ及びヒータ駆動処理部５３ｃを備えている。
【００３９】
圧縮機駆動処理部５３ａは、圧縮機２１に対して駆動指令又は駆動停止指令を送出するものである。ファン駆動処理部５３ｂは、循環ファン３１〜３４のそれぞれに対して駆動指令又は駆動停止指令を送出するものである。ヒータ駆動処理部５３ｃは、ヒータ４２に対して駆動指令又は駆動停止指令を送出するものである。
【００４０】
異常監視部５４は、ファン駆動処理部５３ｂにより駆動指令が与えられた循環ファン３１〜３４が駆動しているか否かを監視するものである。
【００４１】
図３は、図２に示した制御部が実施する冷却運転処理の処理内容を示すフローチャートである。かかる処理内容を説明しながら冷却装置の動作について説明する。
【００４２】
かかる冷却運転処理において制御部５０は、圧縮機２１が駆動中に入力処理部５１を通じて内部温度センサ４１より内部温度（内部温度信号）を入力した場合（ステップＳ１０１：Ｙｅｓ，ステップＳ１０２：Ｙｅｓ）、冷却運転判定処理部５２ａを通じてメモリ５５より下限温度を読み出して、内部温度が下限温度を下回るか否かを判定する（ステップＳ１０３）。
【００４３】
内部温度が下限温度を下回る場合（ステップＳ１０３：Ｙｅｓ）、制御部５０は、圧縮機駆動処理部５３ａを通じて駆動停止指令を送出し（ステップＳ１０４）、その後に手順をリターンさせて今回の処理を終了する。
【００４４】
これによれば、圧縮機２１の駆動が停止することにより、収納室１１の内部温度は上昇する方向に推移することになる。
【００４５】
内部温度が下限温度以上である場合（ステップＳ１０３：Ｎｏ）、制御部５０は、圧縮機２１の駆動を維持して（ステップＳ１０５）、その後に手順をリターンさせて今回の処理を終了する。
【００４６】
これによれば、圧縮機２１の駆動が維持されることにより、収納室１１の内部温度は下降する方向に推移することになる。
【００４７】
一方、制御部５０は、圧縮機２１が駆動停止中に入力処理部５１を通じて内部温度センサ４１より内部温度（内部温度信号）を入力した場合（ステップＳ１０１：Ｎｏ，ステップＳ１０６：Ｙｅｓ）、冷却運転判定処理部５２ａを通じてメモリ５５より上限温度を読み出して、内部温度が上限温度を上回るか否かを判定する（ステップＳ１０７）。
【００４８】
内部温度が上限温度を上回る場合（ステップＳ１０７：Ｙｅｓ）、制御部５０は、圧縮機駆動処理部５３ａを通じて駆動指令を送出し（ステップＳ１０８）、その後に手順をリターンさせて今回の処理を終了する。
【００４９】
これによれば、圧縮機２１が駆動することにより、収納室１１の内部温度は下降する方向に推移することになる。
【００５０】
内部温度が上限温度以下である場合（ステップＳ１０７：Ｎｏ）、制御部５０は、圧縮機２１の駆動停止を維持して（ステップＳ１０９）、その後に手順をリターンさせて今回の処理を終了する。
【００５１】
これによれば、圧縮機２１の駆動停止が維持されることにより、収納室１１の内部温度は上昇する方向に推移することになる。
【００５２】
上記制御部５０は、上述したような冷却運転処理と並行して、以下のような再起動運転処理を実施する。
【００５３】
図４は、図２に示した制御部が実施する再起動運転処理の処理内容を示すフローチャートである。以下の説明の前提として、循環ファン３１〜３４は、ファン駆動処理部５３ｂから与えられる駆動指令により駆動しているものとする。
【００５４】
かかる再起動運転処理において制御部５０は、異常監視部５４を通じて循環ファン３１〜３４の駆動に異常が発生しているか否か、すなわち少なくとも１つの循環ファン３１〜３４が駆動停止しているか否かを判断する（ステップＳ２０１）。異常が発生していないものと判断した場合（ステップＳ２０１：Ｎｏ）、制御部５０は、後述する処理を実施することなく、手順をリターンさせて今回の処理を終了する。
【００５５】
異常が発生しているものと判断した場合（ステップＳ２０１：Ｙｅｓ）、例えば循環ファン３１が駆動停止している場合、制御部５０は、ファン駆動処理部５３ｂを通じて他の循環ファン３２〜３４の駆動を維持し（ステップＳ２０２）、再起動運転判定処理部５２ｂを通じて、ステップＳ２０１の異常ありと判断した時点から開始した計測時間がメモリ５５から読み出した待機時間を経過したか否かを判定する（ステップＳ２０３）。尚、かかる処理を行うのに併せてヒータ４２を駆動させて通電状態にしておくことが好ましい。
【００５６】
ここで待機時間は、メモリ５５に予め記憶されているものであり、例えば、駆動を停止した循環ファン３１に付着した霜が除去されることを考慮して定められた時間である。
【００５７】
再起動運転判定処理部５２ｂを通じて計測時間が待機時間を経過したものと判定した場合（ステップＳ２０３：Ｙｅｓ）、制御部５０は、ファン駆動処理部５３ｂを通じて全ての循環ファン３１〜３４に駆動停止指令を送出する（ステップＳ２０４）。これにより、全ての循環ファン３１〜３４は駆動停止する。
【００５８】
そして、制御部５０は、再起動運転判定処理部５２ｂを通じて、ステップＳ２０４の処理を実施した時点から開始した計測時間がメモリ５５から読み出した所定時間を経過したものと判定した場合（ステップＳ２０５：Ｙｅｓ）、ヒータ駆動処理部５３ｃを通じてヒータ４２に駆動停止指令を送出し（ステップＳ２０６）、その後にファン駆動処理部５３ｂを通じて全ての循環ファン３１〜３４に駆動指令を送出して（ステップＳ２０７）、手順をリターンさせて今回の処理を終了する。これにより、全ての循環ファン３１〜３４が所定の回転数で駆動して再起動させることができる。
【００５９】
以上説明したように、本発明の実施の形態１である冷却装置によれば、収納室１１の内部空気の冷却を行う冷却運転時に例えば循環ファン３１が駆動停止した場合に、駆動停止した時点からの経過時間が予め決められた待機時間に達したときに、全ての循環ファン３１〜３４を一旦駆動停止にさせてから所定の回転数で駆動させる再起動運転を行うので、一旦駆動停止した循環ファン３１が駆動中の他の循環ファン３２〜３４の影響を受けることがない。つまり、一旦駆動停止した循環ファン３１を他の循環ファン３２〜３４の影響を受けずに再度駆動させることができる。よって、収納室１１の内部空気の冷却を行う冷却運転時に少なくとも１つの循環ファン３１〜３４が駆動停止した場合にも、全ての循環ファン３１〜３４を良好に再度駆動させることができる。
【００６０】
上記冷却装置によれば、制御部５０が、全ての循環ファン３１〜３４に対して駆動指令を送出する際に、該循環ファン３１〜３４と共通の電源を有するヒータ４２に駆動停止指令を送出しているので、起動電力が過大なものとなることを抑制することができる。
【００６１】
＜実施の形態２＞
図５は、本発明の実施の形態２である冷却装置の特徴的な制御系を示すブロック図である。尚、上述した実施の形態１である冷却装置と同一の構成要素については同一の符号を付して重複した説明を適宜省略する。
【００６２】
ここで例示する冷却装置は、例えばアイスケースやショーケース等に適用されるものであり、冷却ユニット２０と、複数の循環ファン３１〜３４と、内部温度センサ４１と、ヒータ４２と、制御部（制御手段）６０とを備えて構成されている。
【００６３】
制御部６０は、メモリ６５に記憶されたプログラムやデータにしたがって冷却装置の各部の動作を統括的に制御するものであり、入力処理部６１、判定処理部６２、出力処理部６３及び異常監視部６４を備えている。尚、制御部６０は、例えばＣＰＵ（Ｃｅｎｔｒａｌ  Ｐｒｏｃｅｓｓｉｎｇ  Ｕｎｉｔ）等の処理装置にプログラムを実行させること、すなわちソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００６４】
入力処理部６１は、内部温度センサ４１から与えられる内部温度信号や、図示しない上位機器からの指令信号等を入力するものである。
【００６５】
判定処理部６２は、冷却運転判定処理部６２ａ及び再起動運転判定処理部６２ｂを備えている。冷却運転判定処理部６２ａは、冷却運転処理において、入力処理部６１を通じて入力した内部温度と、メモリ６５から読み出した温度（下限温度及び上限温度）とを比較して判定するものであり、上記冷却判定処理部５２ａと同様のものである。
【００６６】
より詳細には、冷却運転判定処理部６２ａは、入力処理部６１を通じて入力した内部温度がメモリ６５から読み出した下限温度を下回るか否か、並びに内部温度がメモリ６５から読み出した上限温度を上回るか否かを判定するものである。ここで、下限温度は、収納室１１の内部空気を冷却する場合において、好ましい冷却温度範囲の下限値であり、上限温度は該冷却温度範囲の上限値である。
【００６７】
再起動運転判定処理部６２ｂは、後述する再起動運転処理において、入力処理部６１を通じて入力した内部温度がメモリ６５から読み出した解除温度以上であるか否かを判定するものである。また、再起動運転判定処理部６２ｂは、内蔵される時計を用いて時間を計測し、計測時間がメモリ６５から読み出した時間（所定時間）を経過したか否かを判定するものである。
【００６８】
出力処理部６３は、圧縮機駆動処理部６３ａ、ファン駆動処理部６３ｂ及びヒータ駆動処理部６３ｃを備えている。
【００６９】
圧縮機駆動処理部６３ａは、圧縮機２１に対して駆動指令又は駆動停止指令を送出するものである。ファン駆動処理部６３ｂは、循環ファン３１〜３４のそれぞれに対して駆動指令又は駆動停止指令を送出するものである。ヒータ駆動処理部６３ｃは、ヒータ４２に対して駆動指令又は駆動停止指令を送出するものである。
【００７０】
異常監視部６４は、ファン駆動処理部６３ｂにより駆動指令が与えられた循環ファン３１〜３４が駆動しているか否かを監視するものである。
【００７１】
図６は、図５に示した制御部が図３に示した冷却運転処理と並行して実施する再起動運転処理の処理内容を示すフローチャートである。以下の説明の前提として、循環ファン３１〜３４は、ファン駆動処理部６３ｂから与えられる駆動指令により駆動しているものとする。
【００７２】
かかる再起動運転処理において制御部６０は、異常監視部６４を通じて循環ファン３１〜３４の駆動に異常が発生しているか否か、すなわち例えば循環ファン３１が駆動停止しているか否かを判断する（ステップＳ２１１）。異常が発生していないものと判断した場合（ステップＳ２１１：Ｎｏ）、制御部６０は、後述する処理を実施することなく、手順をリターンさせて今回の処理を終了する。
【００７３】
異常が発生しているものと判断した場合（ステップＳ２１１：Ｙｅｓ）、制御部６０は、ファン駆動処理部６３ｂを通じて他の循環ファン３２〜３４の駆動を維持し（ステップＳ２１２）、入力処理部６１を通じて内部温度センサ４１からの内部温度の入力待ちとなる（ステップＳ２１３）。尚、かかる処理を行うのに併せてヒータ４２を駆動させて通電状態にしておくことが好ましい。
【００７４】
入力処理部６１を通じて内部温度センサ４１より内部温度を入力した場合（ステップＳ２１３：Ｙｅｓ）、制御部６０は、再起動運転判定処理部６２ｂを通じて、メモリ６５から解除温度を読み出して、内部温度が解除温度以上であるか否かを判定する（ステップＳ２１４）。
【００７５】
ここで解除温度は、メモリ６５に予め記憶されているものであり、例えば、駆動を停止した循環ファン３１に付着した霜が除去されることを考慮して定められた温度である。
【００７６】
再起動運転判定処理部６２ｂを通じて内部温度が解除温度以上であると判定した場合（ステップＳ２１４：Ｙｅｓ）、制御部６０は、ファン駆動処理部６３ｂを通じて全ての循環ファン３１〜３４に駆動停止指令を送出する（ステップＳ２１５）。これにより、全ての循環ファン３１〜３４は駆動停止する。
【００７７】
そして、制御部６０は、再起動運転判定処理部６２ｂを通じて、ステップＳ２１５の処理を実施した時点から開始した計測時間がメモリ６５から読み出した所定時間を経過したものと判定した場合（ステップＳ２１６：Ｙｅｓ）、ヒータ駆動処理部６３ｃを通じてヒータ４２に駆動停止指令を送出し（ステップＳ２１７）、その後にファン駆動処理部６３ｂを通じて全ての循環ファン３１〜３４に駆動指令を送出して（ステップＳ２１８）、手順をリターンさせて今回の処理を終了する。これにより、全ての循環ファン３１〜３４が所定の回転数で駆動して再起動させることができる。
【００７８】
以上説明したように、本発明の実施の形態２である冷却装置によれば、収納室１１の内部空気の冷却を行う冷却運転時に例えば循環ファン３１が駆動停止した場合に、収納室１１の内部温度が予め決められた解除温度以上となるときに、全ての循環ファン３１〜３４を一旦駆動停止にさせてから所定の回転数で駆動させる再起動運転を行うので、一旦駆動停止した循環ファン３１が駆動中の他の循環ファン３２〜３４の影響を受けることがない。つまり、一旦駆動停止した循環ファン３１を他の循環ファン３２〜３４の影響を受けずに再度駆動させることができる。よって、収納室１１の内部空気の冷却を行う冷却運転時に少なくとも１つの循環ファン３１〜３４が駆動停止した場合にも、全ての循環ファン３１〜３４を良好に再度駆動させることができる。
【００７９】
上記冷却装置によれば、制御部６０が、全ての循環ファン３１〜３４に対して駆動指令を送出する際に、該循環ファン３１〜３４と共通の電源を有するヒータ４２に駆動停止指令を送出しているので、起動電力が過大なものとなることを抑制することができる。
【００８０】
以上、本発明の好適な実施の形態１及び２について説明したが、本発明は、これらに限定されるものではなく、種々の変更を行うことができる。
【００８１】
上述した実施の形態１及び２では、再起動運転処理において、全ての循環ファン３１〜３４に駆動停止指令を与えて全ての循環ファン３１〜３４を駆動停止にさせていたが、本発明においては、全ての循環ファンを駆動停止と近似できる程度に予め決められた最低限の回転数にて駆動させてもよい。
【００８２】
上述した実施の形態１及び２では、再起動運転処理において、循環ファン３１〜３４と共通の電源を有する負荷としてヒータ４２を駆動停止にさせていたが、本発明においては、ヒータに限られず、他の負荷を駆動停止にさせてもよい。
【００８３】
上述した実施の形態１及び２では、再起動運転処理において、少なくとも１つの循環ファン３１〜３４が駆動停止した場合に異常が発生したものとしているが、本発明においては、少なくとも１つの循環ファンの回転数が所望の回転数に達せずに不足している場合に異常が発生したものとしても構わない。
【符号の説明】
【００８４】
１０  ケース本体
１１  収納室
１２  空気通路
１３  機械室
２０  冷却ユニット
２１  圧縮機
２２  放熱器
２３  膨張機構
２４  冷却器
２５  冷媒管路
３１  循環ファン
３２  循環ファン
３３  循環ファン
３４  循環ファン
４１  内部温度センサ
４２  ヒータ
５０  制御部
５１  入力処理部
５２  判定処理部
５２ａ  冷却運転判定処理部
５２ｂ再起動運転判定処理部
５３  出力処理部
５３ａ  圧縮機駆動処理部
５３ｂ  ファン駆動処理部
５３ｃ  ヒータ駆動処理部
５４  異常監視部
５５  メモリ
【図１】
0006747073.tif 000002
【図２】
0006747073.tif 000003
【図３】
0006747073.tif 000004
【図４】
0006747073.tif 000005
【図５】
0006747073.tif 000006
【図６】
0006747073.tif 000007